(57)【要約】      （修正有）【課題】通常使用時および待ち受け時などにおいては端末全体の小型化、アンテナ突出無しの状態が維持され、コンテンツに応じて視認性の良い表示を可能にすると同時に良好なアンテナ特性が得られる携帯通信端末を提供する。【解決手段】回転可能に接続された第一の筐体１と第二の筐体２とが概略重なる状態とこの状態から９０度回転した状態を取りうる携帯通信端末において、表示部３を有する第二の筐体２を略９０度回転させることにより、表示部３は横長になり視認性が良い表示が可能になる。それと同時に、回転することで第二の筐体２と重ならなくなった第一の筐体１上端部にアンテナ５を配置することで、電気的体積の大きな広帯域で良好なアンテナ特性が得られる。また通常時は、アンテナ５は第二の筐体２と重なっており、アンテナの突出はなく、端末としての小型化、スマート化は維持され、携帯性に優れた携帯通信端末である。【選択図】図２
2006332795.tif 000002
【特許請求の範囲】
【請求項１】
第一の筐体と、該第一の筐体に回転可能に設けられた第二の筐体と、を有する携帯通信端末において、
該第二の筐体は少なくとも前記第一の筐体と略重なる第一の状態と、該第一の状態から略９０度回転した第二の状態と、のうち該第二の状態において、前記第一の筐体は、前記第二の筐体と重ならない突出部を有し、該突出部にアンテナが配置されていることを特徴とする携帯通信端末。
【請求項２】
第一の筐体と、該第一の筐体に回転可能に設けられた第二の筐体と、該第一の筐体に開閉可能に配置された第３の筐体と、を有する携帯通信端末において、
前記第二の筐体は、少なくとも前記第一の筐体と略重なる第一の状態と、該第一の状態から略９０度回転する第二の状態とのうち該第二の状態において、前記第一の筐体は前記第二の筐体と重ならない突出部を有し、該突出部にアンテナが配置されていることと特徴とする携帯通信端末。
【請求項３】
前記第二の筐体は表示手段を有し、前記突出部が、前記第一の状態において前記表示部の表示方向に対して第一の筐体の上端部に配置されていることを特徴とする請求項１又は２に記載の携帯通信端末。
【請求項４】
前記第二の筐体を前記第一の筐体に比べて小さく形成することにより、前記第一の状態において前記第一の筐体の前記第二の筐体に覆われていない領域に操作部を配置したことを特徴とする請求項１から３までのいずれか１項に記載の携帯通信端末。
【請求項５】
前記表示部が前記第一の状態では縦長であり、前記第二の状態では横長であることを特徴とする請求項１から４までのいずれか１項に記載の携帯通信端末。
【請求項６】
前記第一の筐体と前記第二の筐体との回転を検知する回転検知手段と、
該回転検知手段からの回転検知信号に基づいて前記アンテナに供給するＲＦ信号を制御するＲＦ信号制御手段を有することを特徴とする請求項１から５までのいずれか１項に記載の携帯通信端末。
【請求項７】
前記ＲＦ信号制御手段は、前記アンテナの整合状態を切り替える手段であることを特徴とする請求項６記載の携帯通信端末。
【請求項８】
前記アンテナ（以下、この項では「第一のアンテナ」と称する。）とは別途設けられた第二のアンテナを有し、前記ＲＦ信号制御手段は、ＲＦ信号の供給対象を前記第一のアンテナと前記第二のアンテナとの間で切り替える制御を行うことを特徴とする請求項６記載の携帯通信端末。
【請求項９】
前記ＲＦ信号の供給対象を前記第一のアンテナと前記第二のアンテナとの間で切り替えと、前記表示部の表示方向の切り替えとを連動させることを特徴とする請求項８に記載の携帯通信端末。
【請求項１０】
前記アンテナは、可動式アンテナであることを特徴とする請求項1〜9記載の携帯通信端末。
【請求項１１】
前記可動式アンテナは、折り倒し式又は引き出し式の機構を有するアンテナであることを特徴とする請求項１０に記載の携帯通信端末。
【請求項１２】
前記アンテナは、Ｌ字型であり、前記第二の状態においては、前記Ｌ型のアンテナの射影が前記第二の筐体の回転により露出することを特徴とする請求項１から１１までのいずれか１項に記載の携帯通信端末。
【請求項１３】
前記アンテナは、放送受信用のアンテナであることを特徴とする請求項１から１２までのいずれか１項に記載の携帯通信端末。
【請求項１４】
第一の筐体と、該第一の筐体に相対移動可能に設けられた第二の筐体と、を有する携帯通信端末において、
該第二の筐体が前記第一の筐体と略重なる第一の状態と、該第二の筐体と前記第一の筐体とに重ならない領域が形成される第二の状態と、のうち該第二の状態において、前記重ならない領域にアンテナが配置されていることを特徴とする携帯通信端末。
【発明の詳細な説明】
【技術分野】
【０００１】
本発明は、携帯通信端末に関し、特に、回転可能に接続された筐体を有する携帯通信端末に関する。
【背景技術】
【０００２】
近年、携帯電話機には多種多様な機能が搭載されるとともに、他機との差別化をはかるために様々な形状の携帯電話機が提供されている。上記携帯電話機に搭載されるアンテナは、携帯電話機の機能の多様化による部品点数の増加や各種形状による周辺環境の変化は、様々な特性劣化要因となる可能性がある。原理的には、良好なアンテナ特性を得るためには、アンテナの電気的な体積を十分に確保する必要がある。
【０００３】
図１は、一般的な折りたたみ式の携帯電話機の形態を示す斜視図である。図１に示すように、一般的な折りたたみ式携帯電話機は、第１の筐体１０１と、第２の筐体１０２と、を有している。第１の筐体１０１の下端部と第２の筐体１０２の上端部が、ヒンジ１１０により折りたたみ可能に接続されている。第１の筐体１０１には、ＬＣＤ表示部１０３とアンテナ１０５とが設けられ、第２の筐体１０２には、操作ボタンや移動・選択キーなどを含む操作部１０４が設けられている。
【０００４】
従って、上記の形態を有する折りたたみ式携帯電話機は、第１の筐体１０１、第２の筐体１０２の開き時及び折りたたみ時の両方の形態において、アンテナ１０５は第１の筐体１０１又は第２の筐体１０２から突出しているため、電気的な体積が十分に確保されており、小型でありながら良好なアンテナ特性が得られる。
【発明の開示】
【発明が解決しようとする課題】
【０００５】
しかしながら、携帯電話機における、小型化・スマート化の要請から、アンテナも小型・薄型化が要求されている。一方、携帯電話機における多機能化に伴い、アンテナに関しては複数のシステムに用いられるため、より広帯域な特性が求められている。小型・薄型化したアンテナは、地導体など周囲環境の影響を受けやすく、アンテナ効率が劣化し電気的体積も小さくなるため狭帯域になるという問題がある。
【０００６】
また、携帯電話機の多機能化に関しては、特に動画再生やテレビ放送受信などの機能が付加されているため、より一層の高い通信品質が求められる。すなわち、より広帯域で良好なアンテナ特性が必要とされる。
【０００７】
さらに、動画再生やテレビ放送受信などの機能が付加された場合には、従来の縦長の表示だけではなく、機能に応じて横長にも表示可能な携帯電話機が求められている。
【０００８】
本発明は、筐体が回転可能な携帯通信機において、通常使用時および待ち受け時などにおいては端末全体の小型化、アンテナ突出部の無い状態が維持され、また、より高品質な通信が要求される場合はコンテンツに応じて視認性の良い表示を可能にすると同時に広帯域で良好なアンテナ特性が得られることを目的とする。
【課題を解決するための手段】
【０００９】
本発明は、筐体が回転可能な携帯通信機において、通話時などの通常使用時および待ち受け時などにおいては、携帯無線端末全体の小型化、アンテナの露出や突出が無い状態を維持する。動画受信などの、より高品質な通信が要求される場合は、広帯域で良好なアンテナ特性が得られるように、アンテナを露出させたり突出させたりすることで、コンテンツに応じて視認性の良い表示を可能にする。
【００１０】
そのために、本発明に係る携帯通信端末は、第一の筐体と、該第一の筐体に回転可能に設けられた第二の筐体と、を有する携帯通信端末において、該第二の筐体は少なくとも前記第一の筐体と略重なる第一の状態と、該第一の状態から略９０度回転した第二の状態と、のうち該第二の状態において、前記第一の筐体は、前記第二の筐体と重ならない突出部を有し、該突出部にアンテナが配置されていることを特徴とする。
【００１１】
また、本発明に係る携帯通信端末は、第一の筐体と、該第一の筐体に回転可能に設けられた第二の筐体と、該第一の筐体に開閉可能に配置された第３の筐体と、を有する携帯通信端末において、前記第二の筐体は、少なくとも前記第一の筐体と略重なる第一の状態と、該第一の状態から略９０度回転する第二の状態とのうち該第二の状態において、前記第一の筐体は前記第二の筐体と重ならない突出部を有し、該突出部にアンテナが配置されていることと特徴とする。
【００１２】
前記突出部は前記第一の状態において該表示部の表示方向に対して第一の筐体の上端部に配置されたことにより、該表示部は回転可能となる。該表示部が該第一の状態では縦長とすれば、該第二の状態では横長となり、コンテンツに応じて視認性の良い表示を可能になる。
【００１３】
また、前記第二の筐体は表示手段を有し、前記突出部が、前記第一の状態において前記表示部の表示方向に対して第一の筐体の上端部に配置されていることを特徴とする。前記第二の筐体を前記第一の筐体に比べて小さく形成することにより、前記第一の状態において前記第一の筐体の前記第二の筐体に覆われていない領域に操作部を配置したことを特徴とする。前記表示部が前記第一の状態では縦長であり、前記第二の状態では横長であることを特徴とする。
【００１４】
前記第二の筐体は前記第一の筐体に比べて小さくし、前記第一の状態において該第一の筐体と該第二の筐体の重ならない該第一の筐体の部分に操作部を配置することで操作性が向上する。
【００１５】
前記第一の筐体と前記第二の筐体との回転を検知する回転検知手段と、該回転検知手段からの回転検知信号に基づいて前記アンテナに供給するＲＦ信号を制御するＲＦ信号制御手段を有することを特徴とする。前記ＲＦ信号制御手段は、前記アンテナの整合状態を切り替える手段であることを特徴とする。
【００１６】
このRF信号制御手段を用いると、前記アンテナの整合状態や、前記アンテナとは別途設けられた第二のアンテナを有し該アンテナと該第二のアンテナを切り替えることにより、より良好なアンテナ特性が得られる。
【００１７】
前記ＲＦ信号の供給対象を前記第一のアンテナと前記第二のアンテナとの間で切り替えと、前記表示部の表示方向の切り替えとを連動させることを特徴とする。ＲＦ信号の供給対象の切り替えと表示の切り替えを連動させることで、操作が容易になる。
【００１８】
また、前記アンテナを放送受信用のアンテナとすることで、テレビ視聴時は表示面積を有効利用するため表示部は横長（第二の状態）となり、同時にテレビ視聴時は常に広帯域で良好なアンテナ特性が得られる。
【発明の効果】
【００１９】
本発明は、以上詳述したように表示部を有する筐体が回転可能な携帯通信機において、通常使用時および待ち受け時などにおいては、第一の筐体と第二の筐体は重なることでアンテナは第二の筐体と重なりアンテナ突出なく携帯、収納に適した形状とすることができる。
【００２０】
一方で、第二の筐体を回転機構により第一の筐体に対して90度回転させることで表示部は横長の画面となり映像、メールなど閲覧において視認性の良い表示が可能になると同時に、第一の筐体の上端に配置されたアンテナが空間に露出することにより電気的体積が増大し、高品質な通信に適した広帯域で良好なアンテナ特性が得られるという利点がある。
【発明を実施するための最良の形態】
【００２１】
以下に、本発明の実施の形態による携帯無線端末について携帯電話機を例にして図面を参照しながら説明する。図２は、本発明の第１の実施の形態による携帯無線端末を示す斜視図であり、図２(a)は、通常時である第一の状態、図２(b)が回転時である第二の状態を示す図である。
【００２２】
図２(a)、 (b)に示す携帯無線端末は、第一の筐体１と、第一の筐体１に回転可能に接続された第二の筐体２と、を有する。第一の筐体１は一般的な操作部４と、下端部に配置された通話用のマイク７と、上端部に配置されたアンテナ５とを有している。第二の筐体２は、例えばＬＣＤの表示部３と第一の状態においてその上端部に配置されたレシーバ６と、を有する。第二の筐体２は、表示部３の略中心部に配置された破線で示す回転機構８を介して第一の筐体１と接続されており、表示部３と同じ面内で第一の筐体１と回転可能に配置されている。
【００２３】
本実施の形態による携帯無線端末は、図２(a)に示すよう第二の筐体２が第一の筐体１とほぼ重なっている第一の状態と、図２(b)に示すように第二の筐体２が第一の筐体１に対して、例えば略９０度回転することにより第二の筐体２が第一の筐体１に設けられたアンテナ５と重ならない第二の状態とを取りうる。第一の状態では、表示部３は縦長であり、第二の状態では表示部３は横長となり、表示部３を回転させることにより、少なくとも２種類の表示方向をとることが可能である。
【００２４】
本実施の形状を例にして説明すると、通常使用時（第一の状態）においては、図２(a)に示すように、第一の筐体１と第二の筐体２とはほぼ完全に重なっており、表示部３は縦長の画面であり、第一の筐体１に対して突出する部分がないため、携帯に適するとともに、収納にも適した形状となる。
【００２５】
一方、図２（ｂ）に示すように、第二の筐体２を回転機構８により第一筐体１に対して略９０度回転させると、表示部３は横長の画面となり、映像、メール等が閲覧しやすくなる。加えて、第一の筐体1の上端に配置されたアンテナ５が開放空間に露出することにより電気的体積が増大し、広帯域で良好なアンテナ特性が得られる。従って、第二の状態にすることにより、より高い通信品質が必要とされる映像等のデータ通信に適した状態にすることができる。
【００２６】
図３は本発明の第２の実施の形態による携帯無線端末を示す斜視図であり、図３(a)が通常時である第一の状態、図３(b)が回転時である第二の状態を示す図である。図３に示す携帯無線端末は、本発明を折りたたみ型携帯電話機に適用した場合の例を示す図である。図３に示すように、本実施の形態による携帯無線端末は、第一の筐体１と、第二の筐体２と、表示部３と、操作部４と、アンテナ５と、受話部６と、マイク７と、回転機構８と、第三の筐体９と、ヒンジ１０と、を有している。
【００２７】
このように、本実施の形態による携帯無線端末は、第一の筐体１と、第二の筐体２と、第三の筐体９と、を含んで構成されている。第二の筐体２は回転機構８を介して表示部３と同一平面内で第一の筐体１と回転可能に接続されている。回転機構８の回転軸は表示部３の略中央に位置する。また、第三の筐体９は、第二の筐体２の下端部においてヒンジ１０により第一の筐体１と折りたたみ可能に連結されている。折りたたみ時には、第三の筐体９の操作部４側の面と第二筐体２の表示部３側の面が重なり合うように配置されている。第一の筐体１は第三の筐体９とは直接重ならない。
【００２８】
第一の筐体１にはその上端部近傍にアンテナ５が設けられ、第二の筐体２には、受話部６と、表示部３とが設けられ、第三の筐体３には、複数の操作キーを含む操作部４と、マイク７とが備えられている。
【００２９】
より詳細には、アンテナ６は筐体内部に配置されている回路基板上に形成されたアンテナ給電回路を介して無線回路に接続されている。
【００３０】
本実施の形状によれば、上記第１の実施の形態による携帯無線端末の形状であるストレート式携帯無線端末と同様に、折りたたみ式携帯通信端末においても、図３（ａ）に示すように通常時は第一の筐体１と第二の筐体２とは重なっており、表示部３は縦長の画面であり、突出部がないために、携帯、収納に適した形状となる。
【００３１】
一方で、図３（ｂ）に示すように、第二の筐体２を回転機構８により第一の筐体１に対して略９０度回転させると、第一の筐体1の上端に配置されたアンテナ5が空間に露出することにより電気的体積が増大し、良好なアンテナ特性が得られる。加えて、表示部３は横長の画面となり映像、メールなど閲覧しやすくなる。
【００３２】
尚、上記第１の実施の形態、第２の実施の形態において、第二の筐体２の回転軸を表示部３の中央に配置した例を示したが、第二の筐体２が９０度回転した時に、第一の筐体１の上部にスペースがあれば、どのような位置に配置することも可能である。例えば、図３（ｃ）に示すように、回転軸８を筐体下部に配置することにより、第一の筐体１が９０度回転した時には、第一の筐体１と第二の筐体２との重なる範囲が第二の筐体２の下方になり、上部の突出スペースが大きくなるため、広いアンテナエリアが確保できるという利点がある。また、回転軸は1点に限定されるものではなく、複数点にして回転に応じてスライドできるようにしても良い。
【００３３】
図４は本発明の第３の実施の形態による携帯無線端末の例を示す斜視図である。図４に示す携帯無線端末は、上記第２の実施の形態による携帯無線端末と同様に、表示部３を有する第二の筐体２が回転可能な構造を有する折りたたみ型携帯電話機である。本実施の形態においては、さらに、第３の筐体９には、第二のアンテナ１１と、第一の筐体１に第二の筐体２の回転を検知する回転検知器（図示せず。）と、この回転検知器からの信号により上記アンテナ１１に供給されるＲＦ信号を切り替えるＲＦスイッチ（図示せず）と、を有する。
【００３４】
上記携帯無線端末において、第二の筐体２の回転角度を回転検知器により検出し、その角度に応じてＲＦスイッチにより第一のアンテナ５と第二のアンテナ１１とを切替える。例えば、第二の筐体２の回転角度が０度時（第一の状態）は第二のアンテナ１１を、９０度の時（第二の状態）には第一のアンテナ５を使用するように切り替える。この際、ＲＦ信号の切り替えに応じて、表示部の表示方向の切り替えを連動させて制御するようにしても良い。第一のアンテナ５は、第二の筐体２が第二の状態になる場合にのみ使用するため、アンテナ特性を劣化させる要因（第二の筐体２の地導体など）の影響を避けることができる。従って、筐体を非常に薄型にすることができる。
【００３５】
本実施の形態による携帯無線端末によれば、携帯無線端末の下部を手で保持して使用する場合であって高い通信品質が必要なデータ通信を行う際及び待受け通話時等の端末下部を手で覆わない場合において、携帯無線端末を非常に薄型にした場合でも良好なアンテナ特性が得られる。
【００３６】
次に、本発明の第４の実施の形態による携帯無線端末について図面を参照しつつ説明を行う。図５は本実施の形態による携帯無線端末の構成例を示す機能ブロック図である。
【００３７】
図５に示す携帯無線端末は、上述の第３の実施形態による携帯無線端末と同様に、第二の筐体２の回転を検知する回転検知器１６を有し、回転検知器１６からの信号によりアンテナ５の整合状態を切り替える例であり、無線部１４と、無線部１４に第一の整合回路１２を介して接続されたアンテナ５と、回転検知器１６の信号によりON/OFFするスイッチ１５と、第一の整合回路１２とアンテナ５の間にスイッチ１５を介して挿入された第二の整合回路１３を有する。
【００３８】
上記構成において、第二の筐体２が０度の時（第一の状態）は、スイッチ１５がONとなり第一の整合回路１２、第二の整合回路１３によりアンテナ５の整合をとる。また、第二の筐体２が９０度の時（第二の状態においては、スイッチ１５がOFFとなり、第一の整合回路１２のみでアンテナ５の整合がとられる。
【００３９】
本実施の形態によれば、第二の筐体２の回転により、第二の筐体２内の地導体等のアンテナ５への近接状態が変化し、アンテナ５の入力インピーダンスが変化した場合においても、それぞれ、アンテナ入力インピーダンスを補正することが可能となり、両状態において良好なアンテナ特性が実現できる。
【００４０】
図６は本発明の第５の実施の形態による携帯無線端末の構成例を示す斜視図であり、ＴＶ受信可能な携帯電話の例である。図６に示す携帯無線端末は、上述の第二の実施の形態と同様に、表示部３を有する第二の筐体２が回転可能となった構造を有する折りたたみ型携帯電話機であり、さらに第三の筐体９の上端部に第二のアンテナ１１を有する。第二のアンテナ１１は、例えば、第一の筐体１と第三の筐体９の接続部近傍に設けられている。第一のアンテナ５はＴＶ受信専用薄型アンテナで、第二のアンテナ１１はセルラー専用の送受信アンテナである。
【００４１】
ＴＶ視聴時は、第二の筐体２を９０度回転させることにより、表示部３の表示面積を有効利用できると共に第一のアンテナ５が露出するとともに第二の筐体２の裏側から突出する。
【００４２】
本実施の形態によれば、使用時に比較的周波数が低く広帯域で良好なアンテナ特性が必要なＴＶ用の第一のアンテナ５を、ＴＶ使用時には第二の筐体２から突出させる構成とすることにより、第一のアンテナ５近傍であってこれを覆っておいる第二の筐体２の影響を低減することができ、薄型でありながら電気的に大きなアンテナを実現できる。またＴＶを使用しないＴＶ非使用時には、第二の筐体２を回転させることにより、薄型の第二のアンテナ１１を第二の筐体２の背面に収納し、携帯無線端末における携帯性を向上させることができる。
【００４３】
次に、本実施の形態による無線通信端末におけるアンテナをＬ型アンテナにした第１変形例（図７）と、折り畳み型アンテナにした第２変形例（図８）について説明する。図７は、第一変形例による携帯無線端末の構成例を示す斜視図である。図７に示すように、本変形例による携帯無線端末は、図６に示す構成（符号は同じものが付されることになるため、図６を参照して説明し、図７においては、符号を付していない。）において第一のアンテナ５を水平方向に延在する部分と、それに連続して下方に延びる部分と、を有するいわゆるＬ字型のアンテナを用いている。Ｌ字型のアンテナは、アンテナ体積を増加させることができるため、アンテナ特性を向上させることができるが、この場合でも、ＴＶ視聴時は、第二の筐体２を９０度回転させることにより、表示部３の表示面積を有効利用できると共に第一のアンテナ５が露出するとともに第二の筐体２の裏側から突出する。
【００４４】
本実施の形態によれば、使用時に比較的周波数が低く広帯域で良好なアンテナ特性が必要なＴＶ用のＬ字型アンテナ５のほぼ全部を、ＴＶ使用時には第二の筐体２から突出させる構成とすることにより、Ｌ字型アンテナ５近傍であってこれを覆っている第二の筐体２の影響を低減することができ、薄型でありながら電気的に大きなアンテナを実現できる。またＴＶを使用しないＴＶ非使用時には、第二の筐体２を回転させることにより、第二のアンテナ５を第二の筐体２の背面に収納し、携帯無線端末における携帯性を向上させることができるという利点がある。この場合には、第二のアンテナ１１により通信（待ち受けを含む）を行うことになる。
【００４５】
図８は、第２のアンテナが折り倒し可能な折り倒し式機構を有するアンテナである場合の例を示す図である。図８に示すように、使用時に比較的周波数が低く広帯域で良好なアンテナ特性が必要な場合（ＴＶ用）は、表示部３を横型にすることにより露出した折り倒し可能な機構を有するアンテナ５を起立させた状態にすることができ、アンテナ５のほぼ全部を、ＴＶ使用時には第二の筐体２から突出させる構成とすることにより、Ｌ字型アンテナ５近傍であってこれを覆っている第二の筐体２の影響を低減することができ、薄型でありながら電気的に大きなアンテナを実現できる。またＴＶを使用しないＴＶ非使用時には、第２のアンテナ５を折り畳み、表示部３の裏面に隠すことにより、第２のアンテナ５を第二の筐体２の背面に収納し、携帯無線端末における携帯性を向上させることができるという利点がある。この場合には、第二のアンテナ１１により通信（待ち受けを含む）を行うことになる。
【００４６】
以上のように、変形例においては、第二のアンテナの形状を工夫して、ＴＶ使用時におけるアンテナ特性を向上させることにより通信性能を良好にすることができる。
【００４７】
尚、折り倒し式のアンテナ以外にも、アンテナが可動である機構を有するアンテナとして、アンテナがその延在方向に伸縮自在な構成の引き出し式アンテナなど種々の可動式アンテナが対象として含まれる。
【００４８】
本実施の形態による携帯無線端末は、以上に詳述したように、表示部を有する筐体が回転可能な携帯通信機において、通常使用時および待ち受け時などにおいては、第一の筐体と第二の筐体は重なることでアンテナは第二の筐体と重なりアンテナ突出なく携帯（所持）及び収納に適した形状にすることができる。
【００４９】
一方で、第二の筐体を回転機構により第一の筐体に対して９０度回転させることで、表示部は横長の画面となり映像、メールなど閲覧において視認性の良い表示が可能になると同時に、第一の筐体の上端に配置されたアンテナが空間に露出することにより電気的体積が増大し、高品質な通信に適した広帯域で良好なアンテナ特性が得られる。
【００５０】
以上、本実施の形態においては、ストレート型及び折り畳み型の形態を有する携帯無線端末を例にして説明したが、その他、スライド型、回転スライド型などの種々の携帯においても、同様に構成することで、同様の効果を得ることができる。例えば、第一の筐体と、この第一の筐体に相対移動可能に設けられた第二の筐体と、を有する携帯通信端末において、この第二の筐体が上記第一の筐体と略重なる第一の状態と、この第二の筐体と上記第一の筐体とに重ならない領域が形成される第二の状態と、のうち第二の状態において、重ならない領域にアンテナが配置されるようにする場合であって、第一の筐体と第二の筐体とが、回転するだけではなく、回転の代わりに或いは回転とともにスライドする場合や、第一の筐体の裏側に折り畳みできる場合などにおいても同様の効果が得られる。
【産業上の利用可能性】
【００５１】
本発明は、携帯無線端末に利用可能である。
【図面の簡単な説明】
【００５２】
【図１】一般的な折りたたみ式携帯電話機を示す図である。
【図２】本発明の第１の実施の形態の携帯通信端末における斜視図である。図２(a)は通常時、図２(b)は第二の筐体回転時の斜視図である。
【図３】本発明の第２の実施の形態の携帯通信端末における斜視図である。図３(a)は通常時、図３(b)、図３(c)は第二の筐体回転時である。
【図４】本発明の第３の実施の形態の携帯通信端末における斜視図である。
【図５】本発明の第４の実施の形態の携帯通信端末における概略ブロック図である。
【図６】本発明の第５の実施の形態の携帯通信端末における斜視図である。
【図７】本実施の形態の第１変形例であって、携帯通信端末のアンテナとしてL型アンテナを適用した例を示す図である。
【図８】本実施の形態の第２変形例であって、携帯通信端末のアンテナとして折り倒し式のアンテナを適用した例を示す図である。
【符号の説明】
【００５３】
1…第一の筐体
2…第二の筐体
3…表示部
4…操作部
5…第一のアンテナ
6…受話部
7…マイク
8…回転機構
9…第三の筐体
10…ヒンジ
11…第二のアンテナ
12…第一の整合回路
13…第二の整合回路
14…無線部
15…スイッチ
16…回転検知器
【図１】
2006332795.tif 000003
【図２】
2006332795.tif 000004
【図３】
2006332795.tif 000005
【図４】
2006332795.tif 000006
【図５】
2006332795.tif 000007
【図６】
2006332795.tif 000008
【図７】
2006332795.tif 000009
【図８】
2006332795.tif 000010
【手続補正書】
【提出日】平成18年9月14日(2006.9.14)
【手続補正１】
【補正対象書類名】特許請求の範囲
【補正対象項目名】全文
【補正方法】変更
【補正の内容】
【特許請求の範囲】
【請求項１】
第一の筐体と、該第一の筐体に回転可能に設けられた第二の筐体と、を有する携帯通信
端末において、
該第二の筐体は少なくとも前記第一の筐体と略重なる第一の状態と、該第一の状態から
略９０度回転した第二の状態と、のうち該第二の状態において、前記第一の筐体は、前記
第二の筐体と重ならない突出部を有し、該突出部にアンテナが配置されていることを特徴
とする携帯通信端末。
【請求項２】
第一の筐体と、該第一の筐体に回転可能に設けられた第二の筐体と、該第一の筐体に開
閉可能に配置された第３の筐体と、を有する携帯通信端末において、
前記第二の筐体は、少なくとも前記第一の筐体と略重なる第一の状態と、該第一の状態
から略９０度回転する第二の状態とのうち該第二の状態において、前記第一の筐体は前記
第二の筐体と重ならない突出部を有し、該突出部にアンテナが配置されていることを特徴
とする携帯通信端末。
【請求項３】
前記第二の筐体は表示手段を有し、前記突出部が、前記第一の状態において前記表示部
の表示方向に対して第一の筐体の上端部に配置されていることを特徴とする請求項１又は
２に記載の携帯通信端末。
【請求項４】
前記第二の筐体を前記第一の筐体に比べて小さく形成することにより、前記第一の状態
において前記第一の筐体の前記第二の筐体に覆われていない領域に操作部を配置したこと
を特徴とする請求項１から３までのいずれか１項に記載の携帯通信端末。
【請求項５】
前記表示部が前記第一の状態では縦長であり、前記第二の状態では横長であることを特
徴とする請求項１から４までのいずれか１項に記載の携帯通信端末。
【請求項６】
前記第一の筐体と前記第二の筐体との回転を検知する回転検知手段と、
該回転検知手段からの回転検知信号に基づいて前記アンテナに供給するＲＦ信号を制御
するＲＦ信号制御手段を有することを特徴とする請求項１から５までのいずれか１項に記
載の携帯通信端末。
【請求項７】
前記ＲＦ信号制御手段は、前記アンテナの整合状態を切り替える手段であることを特徴
とする請求項６記載の携帯通信端末。
【請求項８】
前記アンテナ（以下、この項では「第一のアンテナ」と称する。）とは別途設けられた
第二のアンテナを有し、前記ＲＦ信号制御手段は、ＲＦ信号の供給対象を前記第一のアン
テナと前記第二のアンテナとの間で切り替える制御を行うことを特徴とする請求項６記載
の携帯通信端末。
【請求項９】
前記ＲＦ信号の供給対象を前記第一のアンテナと前記第二のアンテナとの間で切り替え
と、前記表示部の表示方向の切り替えとを連動させることを特徴とする請求項８に記載の
携帯通信端末。
【請求項１０】
前記アンテナは、可動式アンテナであることを特徴とする請求項１から９までのいずれか１項に記載の携帯通信端末。
【請求項１１】
前記可動式アンテナは、折り倒し式又は引き出し式の機構を有するアンテナであること
を特徴とする請求項１０に記載の携帯通信端末。
【請求項１２】
前記アンテナは、Ｌ字型であり、前記第二の状態においては、前記Ｌ型のアンテナの射
影が前記第二の筐体の回転により露出することを特徴とする請求項１から１１までのいず
れか１項に記載の携帯通信端末。
【請求項１３】
前記アンテナは、放送受信用のアンテナであることを特徴とする請求項１から１２まで
のいずれか１項に記載の携帯通信端末。
【請求項１４】
第一の筐体と、該第一の筐体に回転可能に設けられた第二の筐体と、を有する携帯通信端末において、
該第二の筐体が前記第一の筐体と略重なる第一の状態と、該第二の筐体が前記第一の筐体と重ならない領域が形成される第二の状態と、のうち該第二の状態において、前記重ならない領域にアンテナが配置されていることを特徴とする携帯通信端末。
【請求項１５】
前記第二の筐体に、表示部が設けられていることを特徴とする請求項１４に記載の携帯通信端末。
【請求項１６】
前記第一の筐体と前記第二の筐体との回転を検知する回転検知手段と、
該回転検知手段からの回転検知信号に基づいて前記アンテナに供給するＲＦ信号を制御するＲＦ信号制御手段を有することを特徴とする請求項１４又は１５に記載の携帯通信端末。
【請求項１７】
請求項１から１６までのいずれか１項に記載の携帯通信端末が、テレビ受信機能を有する携帯電話機であることを特徴とする携帯電話機。
【請求項１８】
第一の筐体と、該第一の筐体に相対移動可能に設けられた第二の筐体と、を有し、
該第二の筐体が前記第一の筐体と略重なる第一の状態と、該第二の筐体が前記第一の筐体と重ならない領域が形成される第二の状態と、のうち該第二の状態において、前記重ならない領域にアンテナが配置されており、テレビ受信機能を有することを特徴とする携帯通信端末。